(57)【要約】      （修正有）【課題】壁埋め込み型器具の正面を化粧する化粧カバーを器具本体に取り付けられた取付け枠の弾性保持片に弾性的に係合して取り付けるが、化粧カバーが弾性保持片の弾性によって取付け枠上を変位してがたつくのを防止すること。【解決手段】コードが接続された器具本体に取り付けられた取付け枠３４の弾性保持片に化粧カバー４０の周壁４０Ｐを弾性的に撓ませながら周壁４０Ｐの係入長溝に係入して化粧カバー４０を取付け枠３４に取付け、且つ化粧カバー４０の背面の凸部を取付け枠３４の凹部に噛み合わせることによって弾性保持片の弾性変位を抑制し、それによって化粧カバー４０を取付け枠３４上に堅固に取り付ける。【選択図】図１Ｆ
0003191313.tif 000002
【実用新案登録請求の範囲】
【請求項１】
コードが接続されて壁に埋め込まれる器具本体に取り付けられた取付け枠と前記取付け枠に取り付けられる化粧カバーとから成り、前記取付け枠は、少なくとも一対の弾性保持片を有し、前記化粧カバーは、前記取付け枠の前記弾性保持片が撓んで前記取付け枠に取り付けられる周壁を有する器具の化粧カバー取り付け装置において、前記取付け枠の前面と前記化粧カバーの背面とに相対して設けられ相互に凹凸係合する噛合せ部を有することを特徴とする器具の化粧カバー取付け装置。
【請求項２】
請求項１に記載の器具の化粧カバー取付け装置であって、前記噛合せ部は、前記化粧カバーの背面に設けられた凸部と前記取付け枠の前面に設けられた凹部、又は前記化粧カバーの背面に設けられた凹部と前記取付け枠の前面に設けられた凸部から成っていることを特徴とする器具の化粧カバー取付け装置。
【考案の詳細な説明】
【技術分野】
【０００１】
本考案は、壁埋め込み型の種々の器具、例えば、壁埋め込みスイッチ、電源コンセント、壁埋め込みＵＳＢ端子、アンテナ端子の如きコードの端末が接続された種々のコード付き端末器具に用いられる化粧カバー取付け装置に関し、更に詳細に述べると、壁板の如き所定の取付け体に取り付けられるコード付き端末器具の器具本体に化粧カバーを着脱自在に取り付ける器具の化粧カバー取付け装置に関するものである。
【背景技術】
【０００２】
壁埋め込み型コード端末器具としての電源コンセントを例に述べると、コードの端末に接続され壁板に取り付けられたコンセント本体の如き器具本体は、器具本体が隠蔽されるように器具本体の取付け枠に着脱自在に固定される化粧カバーを有しており、その一例が特許文献１（特許第４１５１０４９号公報）に記載されている。
【０００３】
特許文献１に示すように、この化粧カバー（特許文献１では「化粧プレート５」と称されている）は、正面板とこの正面板に一体に形成された周壁とを有し、器具本体（特許文献１では「配線器具３３」と称されている）にねじ止めして取り付けられた取付け枠（特許文献1では「取付補助枠２」と称されている）に嵌め合わせて着脱自在に取り付けられている。取付け枠は、その上下の端部に横長の変形孔によって弾力性を付与した弾性保持片（特許文献１では「変形縁２７」と称されている）を含み、化粧カバーは、この弾性保持片を変形させながら弾性的に嵌め合わせて取付け枠に取り付けられている。
【０００４】
同様の技術は、非特許文献１（ウエブサイト「樹の森オンラインショップ」に添付の「プチ木楽の取り付け方法」）にも記載されている。この非特許文献１の場合には、取付け枠の弾性保持片が外側に弓形に延びる弧状の形態を有し、正面円形の化粧カバーは、その内面に設けられた周壁を弧状の弾性保持片を弾性的に変形させて取付け枠に取り付けられている。
【０００５】
しかし、これらの従来技術では、化粧カバーは、可撓性を有する弾性保持片に嵌め合わせているだけであるので、取付け枠上で化粧カバーが弾性保持片の弾性変位によって弾性保持片とともに動くことができるため、がたつきやすく、化粧カバーを堅固に取り付けることができない欠点があった。
【先行技術文献】
【特許文献】
【０００６】
【特許文献１】特許第４１５１０４９号公報
【非特許文献１】ウエブサイト「樹の森オンラインショップ」に添付の「プチ木楽の取り付け方法」
【考案の開示】
【考案が解決しようとする課題】
【０００７】
本考案が解決しようとする課題は、化粧カバーが取付け枠に着脱自在に取り付けられるが、取付け後化粧カバーが取付け枠上でがたつくことがないようにした壁埋め込み器具の化粧カバー取付け装置を提供することにある。
【課題を解決するための手段】
【０００８】
本考案の課題解決手段は、コードが接続された器具本体に取り付けられた取付け枠と前記取付け枠に着脱自在に取り付けられる化粧カバーとから成り、前記取付け枠は、少なくとも相対する１対の弾性保持片を有し、前記化粧カバーは、前記取付け枠の前記弾性保持片の撓みによって前記取付け枠に取り付けられる周壁を有する壁埋め込み器具の化粧バー取り付け装置において、前記化粧カバーの背面と前記取付け枠の前面とに相対して設けられ相互に凹凸係合する噛合せ部を有することを特徴とする壁埋め込み器具の化粧カバー取付け装置を提供することにある。
【０００９】
本考案の課題解決手段において、前記噛合せ部は、前記化粧カバーの背面に設けられた凸部と前記取付け枠の前面に設けられた凹部から成っているか、前記化粧カバーの背面に設けられた凹部と前記取付け枠の前面に設けられた凸部から成っている形態とすることができる。
【考案の効果】
【００１０】
本考案によれば、壁埋め込み器具の化粧カバーは、取付け枠の弾性保持片の撓みによる弾性的嵌合のほかに、化粧カバーと取付け枠とに相対して設けられて相互に凹凸係合する噛合せ部を有するので、取付け枠の弾性保持片の弾性変位がこの噛合せ部で抑制されて化粧カバーが取付け枠上で弾性保持片とともに動くことができないため、化粧カバーががたつくことがなく、化粧カバーを取付け枠に堅固に取り付けることができる。
【図面の簡単な説明】
【００１１】
【図１Ａ】本考案の化粧カバー取付け装置によって化粧カバーが取り付けられた壁埋め込み器具である電源コンセントの正面図である。
【図１Ｂ】図１Ａの電源コンセントの斜視図である。
【図１Ｃ】図１ＡのＣ−Ｃ線断面図である。
【図１Ｄ】図１ＡのＤ−Ｄ線断面図である。
【図１Ｅ】図１ＡのＥ−Ｅ線断面図である。
【図１Ｆ】図１ＡのＦ−Ｆ線断面図である。
【図１Ｇ】図１ＤのＧ部分の拡大断面図である。
【図１Ｈ】図１ＦのＨ部分の拡大断面図である。
【図１Ｉ】図１ＣのＩ部分の拡大断面図である。
【図１Ｊ】図１ＥのＪ部分の拡大断面図である。
【図２】図１の電源コンセントの分解斜視図である。
【図３Ａ】図１の電源コンセントに用いられる取付け枠の正面図である。
【図３Ｂ】図３Ａの取付け枠の背面図である。
【図３Ｃ】図３Ａの取付け枠の左側面図である。
【図３Ｄ】図３Ａの取付け枠の右側面図である。
【図３Ｅ】図３Ａの取付け枠の上面図である。
【図３Ｆ】図３Ａの取付け枠の下面図である。
【図３Ｇ】図３ＡのＧ―Ｇ線断面図である。
【図３Ｈ】図３ＡのＨ−Ｈ線断面図である。
【図３Ｉ】図３ＧのＩ部分の拡大断面図である。
【図３Ｊ】図３ＨのＪ部分の拡大断面図である。
【図４Ａ】図１の電源コンセントに用いられる化粧カバーの正面図である。
【図４Ｂ】図４Ａの化粧カバーの背面図である。
【図４Ｃ】図４Ａの化粧カバーの右側面図である。
【図４Ｄ】図４ＡのＤ−Ｄ線断面図である。
【図４Ｅ】図４ＡのＥ−Ｅ線断面図である。
【図４Ｆ】図４ＡのＦ−Ｆ線断面図である。
【図４Ｇ】図４ＡのＧ―Ｇ線断面図である。
【図４Ｈ】図４ＤのＨ部分の拡大断面図である。
【図４Ｉ】図４ＥのＩ部分の拡大断面図である。
【図４Ｊ】図４ＦのＪ部分の拡大断面図である。
【図４Ｋ】図４ＧのＫ部分の拡大断面図である。
【考案を実施するための形態】
【００１２】
本考案の実施の形態を図面を参照して詳細に述べると、図１は、本考案に係る器具の化粧カバー取付け装置を用いた壁埋め込み式四口型電源コンセント(壁埋め込み器具)１０を示し、この電源コンセント１０は、コード２０（図１（Ｃ）参照）が接続されたコンセント本体の如きコード付き器具本体３０と、この器具本体３０の器具露呈部（図示の電源コンセントの例ではコンセントの差込み口）３２Ｓを除く部分とこの部分が貫通する壁板７０（図２参照）の開口７０Ｈとを隠蔽して化粧する化粧カバー４０とから成っている。
【００１３】
器具本体３０は、図２に示すように、主枠３２Ｆを含むコンセント主部品（器具主部品）３２から成り、コード２０は、このコンセント主部品３２の背面でコンセント主部品３２の導電端子（図示せず）に適宜の手段で接続されている。このコンセント主部品３２は、後に述べるように、その主枠３２Ｆに取り付けられた化粧カバー取付け用の樹脂製の取付け枠３４を備えている。器具露呈部（コンセント差し込み口）３２Ｓは、コンセント主部品３２のうち壁板７０から露呈して壁埋め込み器具１０を外部からアクセスすることができる部分である。
【００１４】
器具本体３０の主枠３２Ｆは、図２に示すように、上下のねじ３６が貫通する上下の長孔３２ＦＬＨを有し、器具本体３０は、主枠３２Ｆが壁板７０の正面に係合するようにしてコンセント部品３２を壁板７０の開口７０Ｈを貫通して壁板７０内に配置され、上下のねじ３６を長孔３２ＦＬＨに貫通して壁板７０に固定される。
【００１５】
取付け枠３４は、図２及び図３に示すように、外周縁を除いて中央が開いたほぼ矩形に近い形態に形成されており、この取付け枠３４は、その上下の枠板３４Ｆに設けられたねじ貫通孔３４Ｈをそれぞれ貫通する上下のねじ３８を器具本体３０の主枠３２Ｆの上下のねじ孔３２ＴＨにねじ込んで（図１Ｃ参照）器具本体３０の主枠３２Ｆの前面に取り付けられている。器具本体３０のコンセント主部品３２は、この矩形状の取付け枠３４の中央の開いた部分を貫通して露呈している。
【００１６】
化粧カバー４０は、図示の形態では、略矩形で額縁の形態を有し、器具本体３０の器具露呈部３２Ｓが入り込んでこの器具露呈部３２Ｓを露呈する窓孔４０Ｗを有する正面板４０Ｓとこの正面板４０Ｓの周縁から後方に一体に延びる周壁４０Ｐとから成っている。この化粧カバー４０は、後に述べる本考案の化粧カバー取付け装置によって取付け枠３４に着脱自在に取り付けられる。
【００１７】
本考案の化粧カバー取付け装置は、取付け枠３４の弾性保持片３４Ｐの撓みによって化粧カバー４０の周壁４０Ｐ内に弾性保持片３４Ｐを嵌合して化粧カバー４０を取付け枠３４に着脱自在に取り付けるが、その詳細を以下に述べる。
【００１８】
取付け枠３４の弾性保持片３４Ｐは、図２及び図３に示すように、上下の枠板３４Ｆの両端間を縦方向に弓形に延びる１対の縦弾性保持片３４ＰＶと上下の枠板３４Ｆの外側でこれらの枠板３４Ｆの長手方向に弓形に延びる横弾性保持片３４ＰＬとから成っている。縦弾性保持片４ＰＶは、上下の枠板３４Ｆの間の空間３４Ｓによって弾性が付与され、また横弾性保持片３４ＰＬは、これらの保持片３４ＰＬと枠板３４Ｆとの間の空間３４Ｃによって弾性が付与される。また、これらの弾性保持片３４Ｐは、特に、図３（Ｉ）、（Ｊ）から解るように、その外周面が断面三角形状となっていて後に述べるように化粧カバー４０の周壁４０Ｐがこの三角形の周面のテーパ面に沿って円滑に着脱することができるようになっている。
【００１９】
化粧カバー４０の周壁４０Ｐは、図１及び図４に示すように、取付け枠３４の縦弾性保持片３４ＰＶと横弾性保持片３４ＰＬとが弾性的に撓みながら係入する左右上下の係入長溝４２Ｖ、４２Ｌ（以下の説明では符号４２で総称することがある）を有する。これらの係入長溝４２は、図１（Ｇ）（Ｉ）（Ｊ）及び図４（Ｈ）（Ｊ）に示すように、弾性保持片３４Ｐの断面に相応して略三角形状の横断面を有する。また、左右の係入長溝４２Ｖの長さは、取付け枠３４の対応する縦弾性保持片３４ＰＶの両端を除く部分が係入する程度に設定され、同様に、上下の係入長溝４２Ｌの長さは、取付け枠４２の対応する横弾性保持片３４ＰＬの両端を除く部分が係入する程度に設定されている。従って、化粧カバー４０の周壁４０Ｐが取付け枠３４の弾性保持片３４Ｐに嵌め込むと、係入長溝４２Ｖ、４２Ｌには、弾性保持片３４ＰＶ、３４ＰＬの弓形の中央部分が入り込むことになる。なお、化粧カバー４０は、その周壁４０Ｐの下側部分に化粧カバー４０を取り外すためにドライバ挿入用の取外し溝４６を有する。
【００２０】
本考案の化粧カバー取付け装置は、化粧カバー４０の係入長溝４２に取付け枠３４の弾性保持片３４Ｐが係入するように、化粧カバー４０を取付け枠３４に嵌め込んで、化粧カバー４０を取付け枠３４に取り付けるが、その正しい取付け状態から弾性保持片３４Ｐの撓み（弾性変位）によって弾性保持片３４Ｐに保持されている化粧カバー４０が変位する（がたつく）のを防止するために、化粧カバー４０の背面と取付け枠３４の枠板３４Ｆの前面とに相対応して相互に凹凸係合して噛み合う噛合せ部５０を備えている。
【００２１】
本考案の化粧カバー取付け装置においては、図１及び図２に示すように、壁板７０にねじ３６で固定された器具本体３０の主枠３２Ｆにねじ３８で固定された取付け枠３４に化粧カバー４０を正面から嵌め込むことによって取付け枠３４の弾性保持片３４Ｐを撓ませて化粧カバー４０を取付け枠３４に取り付けることができる。この場合、取付け枠３４の弾性保持片３４Ｐは、略三角形状の横断面を有するので、弾性保持片３４Ｐは、化粧カバー４０の周壁４０Ｐの内面によって略三角形状の横断面の前方のテーパ面が内側に押されて撓むため、化粧カバー４０の周壁４０Ｐの係入長溝４２内に円滑に入り込んで化粧カバー４０を保持することができ、このようにして、化粧カバー４０を取付け枠３４に簡便に取り付けることができる。この際、噛合せ部５０である化粧カバー４０の凸部４４と取付け枠３４の凹部３４ＦＲとが噛み合うので、弾性保持片３４の撓み（弾性変位）が抑制され、化粧カバー４０は、取付け枠３４に正しい取付け状態で堅固に保持される。なお、化粧カバー４０が取付け枠３４に取り付けられると、その窓孔４０Ｗを通して器具本体３０の器具露呈部３２Ｓが露呈する。窓孔４０Ｗは、器具露呈部３２Ｓを僅かの隙間を介して囲むように設定されているので、壁埋め込み器具１０の外観を悪化することがない。
【００２２】
この化粧カバー４０は、その周壁４０Ｐの取り外し用溝４６（図４（Ａ）（Ｂ）（Ｄ）参照）にドライバ等を挿入することにより、化粧カバー４０の周壁４０Ｐと取付け枠３４の弾性保持片３４Ｐとの弾性係合に抗して化粧カバー４０を取付け枠３４から取り外すことができる。従って、適宜の模様等を有する種々の化粧カバー４０を壁埋め込み器具１０を化粧するためにとして利用することができる。
【００２３】
なお、上記実施の形態では、弾性保持片３４Ｐは、左右上下に設けられているが、上下のみ又は左右のみであってもよい。また、図示の形態では、この噛み合い部５０は、化粧カバー４０の背面に設けられた凸部４４と、取付け枠３４の枠板３４Ｆに設けられて凸部44が係入する凹部３４ＦＲとから成っているが、これらの凹凸は、逆であってもよい。更に、図示の形態では上下にそれぞれ左右に２つの凸部４４と凹部３４ＦＲとを有するが、上下の中央にそれぞれ１個づつ設けられていてもよい。この場合、凹部３４ＦＲは、ねじ３８の貫通部分を外れるように設けられる。
【００２４】
本考案によれば、上記のように、化粧カバー４０は、取付け枠３４の弾性保持片３４Ｐに弾性的に係合して保持されることによって取付け枠に取り付けられるが、その際、化粧カバー４０と取付け枠３４の凹部４４と凸部３４ＦＲとの噛み合いによって取付け枠３４の弾性保持片３４Ｐの撓みを抑制しているので、化粧カバー４０は、取付け枠３４上でがたつくことがなく、化粧カバーを適正な位置又は姿勢に維持することができる。
【産業上の利用可能性】
【００２５】
本考案によれば、化粧カバーの周壁を弾性的に保持する取付け枠の弾性保持片は、化粧カバーと取付け枠との間の凹凸の噛み合いによって弾性変位することがなく、化粧カバーを取付け枠に堅固に取り付けることができ、高い産業上の利用可能性を有する。
【符号の説明】
【００２６】
１０  壁埋め込み式四口型電源コンセント
２０  コード
３０  コード付き器具本体
３２  コンセント主部品
３２Ｓ  器具露呈部（コンセントの差込み口）
３２Ｆ  主枠
３２ＦＬＨ  長孔
３２ＦＴＨ  ねじ孔
３４  取付け枠
３４Ｐ、３４ＰＶ、３４ＰＬ  弾性保持片
３４Ｆ  枠板
３６  ねじ
３８  ねじ
４０  化粧カバー
４０Ｓ  正面板
４０Ｐ  周壁
４０Ｗ  窓孔
４２、４２Ｖ、４２Ｌ  係入長溝
４４  凸部
４６  ドライバ挿入用取り外し溝
５０  噛み合い部
【図１Ａ】
0003191313.tif 000003
【図１Ｂ】
0003191313.tif 000004
【図１Ｃ】
0003191313.tif 000005
【図１Ｄ】
0003191313.tif 000006
【図１Ｅ】
0003191313.tif 000007
【図１Ｆ】
0003191313.tif 000008
【図１Ｇ】
0003191313.tif 000009
【図１Ｈ】
0003191313.tif 000010
【図１Ｉ】
0003191313.tif 000011
【図１Ｊ】
0003191313.tif 000012
【図２】
0003191313.tif 000013
【図３Ａ】
0003191313.tif 000014
【図３Ｂ】
0003191313.tif 000015
【図３Ｃ】
0003191313.tif 000016
【図３Ｄ】
0003191313.tif 000017
【図３Ｅ】
0003191313.tif 000018
【図３Ｆ】
0003191313.tif 000019
【図３Ｇ】
0003191313.tif 000020
【図３Ｈ】
0003191313.tif 000021
【図３Ｉ】
0003191313.tif 000022
【図３Ｊ】
0003191313.tif 000023
【図４Ａ】
0003191313.tif 000024
【図４Ｂ】
0003191313.tif 000025
【図４Ｃ】
0003191313.tif 000026
【図４Ｄ】
0003191313.tif 000027
【図４Ｅ】
0003191313.tif 000028
【図４Ｆ】
0003191313.tif 000029
【図４Ｇ】
0003191313.tif 000030
【図４Ｈ】
0003191313.tif 000031
【図４Ｉ】
0003191313.tif 000032
【図４Ｊ】
0003191313.tif 000033
【図４Ｋ】
0003191313.tif 000034
【手続補正書】
【提出日】平成26年3月27日(2014.3.27)
【手続補正１】
【補正対象書類名】図面
【補正対象項目名】図３Ａ
【補正方法】変更
【補正の内容】
【図３Ａ】
0003191313.tif 000035